(57)【要約】【課題】ユーザのAOPモードで再生できないコンテンツの利用の機会が失われることを抑制する「オーディオ再生装置」を提供する。【解決手段】AOPモードで機能している場合、DVDオーディオ再生装置のナビゲーションマネージャ１１は、再生対象となったDVD-Audioディスク１にAOPモードで再生できないATT_GRが含まれているときには、その旨を表示制御装置を介して表示装置１５に表示する。一方、VCAPモードで機能している場合、ナビゲーションマネージャ１１は、再生対象となったDVD-Audioディスク１にVCAPモードのみで再生できるATT_GRが含まれているときには、そのATT_GRのATT_GRNを表示制御装置を介して表示装置１５に表示し、ユーザのそのATT_GRの利用を促す。【選択図】図１
2006331479.tif 000002
【特許請求の範囲】
【請求項１】
再生対象とされた記録媒体に記録されたオーディオデータのみよりなるコンテンツのみを再生する第１の再生モードと、再生対象とされた記録媒体に記録されたオーディオデータのみよりなるコンテンツもオーディオデータとビジュアルデータの双方よりなるコンテンツも再生する第２の再生モードとの二つの再生モードを備え、選択的に、当該二つの再生モードの一方の再生モードで動作するオーディオ再生装置であって、
前記第１の再生モードで再生できず、前記第２の再生モードでのみ再生可能なコンテンツが、前記記憶媒体に記憶されているかどうかを判定するコンテンツ判定手段と、
前記第１の再生モードで動作しているときに、再生対象とされた記憶媒体について、前記コンテンツ判定手段が前記第２の再生モードでのみ再生可能なコンテンツが記録されていると判定した場合に、再生対象とされた記憶媒体に前記第２の再生モードでのみ再生可能なコンテンツが記録されている旨を通知するメッセージをユーザに対して出力するメッセージ出力手段とを有することを特徴とするオーディオ再生装置。
【請求項２】
再生対象とされた記録媒体に記録されたオーディオデータのみよりなるコンテンツのみを再生する第１の再生モードと、再生対象とされた記録媒体に記録されたオーディオデータのみよりなるコンテンツもオーディオデータとビジュアルデータの双方よりなるコンテンツも再生する第２の再生モードとの二つの再生モードを備え、選択的に、当該二つの再生モードの一方の再生モードで動作するオーディオ再生装置であって、
前記第１の再生モードで再生できず、前記第２の再生モードでのみ再生可能なコンテンツが、前記記憶媒体に記憶されているかどうかを判定するコンテンツ判定手段と、
前記第２の再生モードで動作しているときに、再生対象とされた記憶媒体について、前記コンテンツ判定手段が前記第２の再生モードでのみ再生可能なコンテンツが記録されていると判定した場合に、再生対象とされた記憶媒体に記録されている前記第２の再生モードでのみ再生可能なコンテンツの識別を通知するメッセージをユーザに対して出力するメッセージ出力手段とを有することを特徴とするオーディオ再生装置。
【請求項３】
再生対象とされた記録媒体に記録されたオーディオデータのみよりなるコンテンツのみを再生する第１の再生モードと、再生対象とされた記録媒体に記録されたオーディオデータのみよりなるコンテンツもオーディオデータとビジュアルデータの双方よりなるコンテンツも再生する第２の再生モードとの二つの再生モードを備え、選択的に、当該二つの再生モードの一方の再生モードで動作するオーディオ再生装置であって、
前記第１の再生モードで再生できず、前記第２の再生モードでのみ再生可能なコンテンツが、前記記憶媒体に記憶されているかどうかを判定するコンテンツ判定手段と、
前記第２の再生モードで動作しているときに、再生対象とされた記憶媒体について、前記コンテンツ判定手段が前記第２の再生モードでのみ再生可能なコンテンツが記録されていると判定した場合に、再生対象とされた記憶媒体に記録されている前記第２の再生モードでのみ再生可能なコンテンツが、他のコンテンツよりも優先的に再生されるように、当該オーディオ再生装置の再生動作を制御する優先再生制御手段とを有することを特徴とするオーディオ再生装置。
【請求項４】
再生対象とされたDVD-Audioディスクに記録されたATT_GRを再生するVCAPモードと、再生対象とされたDVD-Audioディスクに記録されたAOTT_GRを再生するAOPモードとの二つの再生モードを備え、選択的に、当該二つの再生モードの一方の再生モードで動作するDVDオーディオ再生装置であって、
前記AOTT_GRを形成しないATTより形成されるATT_GRが、前記DVD-Audioディスクに記憶されているかどうかを判定するタイトルグループ判定手段と、
前記AOPモードで動作しているときに、再生対象とされたDVD-Audioディスクについて、前記タイトルグループ判定手段がAOTT_GRを形成しないATTより形成されるATT_GRが記録されていると判定した場合に、再生対象とされたDVD-AudioディスクにVCAPモードでのみ再生できるATT_GRが記録されている旨を通知するメッセージをユーザに対して出力するメッセージ出力手段とを有することを特徴とするDVDオーディオ再生装置。
【請求項５】
再生対象とされたDVD-Audioディスクに記録されたATT_GRを再生するVCAPモードと、再生対象とされたDVD-Audioディスクに記録されたAOTT_GRを再生するAOPモードとの二つの再生モードを備え、選択的に、当該二つの再生モードの一方の再生モードで動作するDVDオーディオ再生装置であって、
前記AOTT_GRを形成しないATTより形成されるATT_GRが、前記DVD-Audioディスクに記憶されているかどうかを判定するタイトルグループ判定手段と、
前記VCAPモードで動作しているときに、再生対象とされたDVD-Audioディスクについて、前記タイトルグループ判定手段がAOTT_GRを形成しないATTより形成されるATT_GRが記録されていると判定した場合に、再生対象とされたDVD-Audioディスクに記録されているAOTT_GRを形成しないATTより形成されるATT_GRのATT_GRNを通知するメッセージをユーザに対して出力するメッセージ出力手段とを有することを特徴とするDVDオーディオ再生装置。
【請求項６】
再生対象とされたDVD-Audioディスクに記録されたATT_GRを再生するVCAPモードと、再生対象とされたDVD-Audioディスクに記録されたAOTT_GRを再生するAOPモードとの二つの再生モードを備え、選択的に、当該二つの再生モードの一方の再生モードで動作するDVDオーディオ再生装置であって、
前記AOTT_GRを形成しないATTより形成されるATT_GRが、前記DVD-Audioディスクに記憶されているかどうかを判定するタイトルグループ判定手段と、
前記VCAPモードで動作しているときに、再生対象とされたDVD-Audioディスクについて、前記タイトルグループ判定手段がAOTT_GRを形成しないATTより形成されるATT_GRが記録されていると判定した場合に、再生対象とされたDVD-Audioディスクに記録されているAOTT_GRを形成しないATTより形成されるATT_GRが、他のATT_GRよりも優先的に再生されるように、当該DVDオーディオ再生装置の再生動作を制御する優先再生制御手段とを有することを特徴とするDVDオーディオ再生装置。
【請求項７】
請求項６記載のDVDオーディオ再生装置であって、
前記優先再生制御手段は、再生対象とされたDVD-Audioディスクに記録されているAOTT_GRを形成しないATTより形成されるATT_GRのうち、当該DVDオーディオ再生装置において過去に再生したことがないATT_GRについてのみ、他のATT_GRよりも優先的に再生されるように、当該DVDオーディオ再生装置の再生動作を制御することを特徴とするDVDオーディオ再生装置。
【発明の詳細な説明】
【技術分野】
【０００１】
本発明は、DVD-Audioディスクを再生するDVDオーディオ再生装置などのオーディオ再生装置における再生制御の技術に関するものである。
【背景技術】
【０００２】
DVD-Audio規格によれば、DVDオーディオ再生装置は、オーディオデータの再生の他にビデオやスチルピクチャやビジュアルメニューなどのビジュアルデータの再生表示も行うビデオケイバブルオーディオプレイヤ（VCAP)として機能することも、オーディオデータの再生のみを行い前述したビジュアルデータの表示を行わないオーディオオンリプレイヤ（AOP）として機能することも許容されている。そして、DVD-Audioディスクには、AOPとVCAPの双方において再生可能なオーディオタイトル（ATT）の他、VCAPにおいてのみ再生可能なATTをコンテンツとして含めることができる。
【０００３】
さて、一般に、VCAPとして機能することのできるDVDオーディオ再生装置は、ユーザの選択等に応じて、AOPとして機能することもできるように構成されることが多い。なお、このようなVCAPとしてもAOPとしても機能することができるオーディオ再生装置としては、表示装置が使用可能であるときにVCAPとして機能し、表示装置が使用可能でないときにAOPとして機能するDVDオーディオ再生装置が知られている（たとえば、特許文献１）。
【特許文献１】特開2004-22023号公報
【発明の開示】
【発明が解決しようとする課題】
【０００４】
さて、ユーザによっては、DVDオーディオ再生装置が表示装置を使用可能な状態であっても、DVDオーディオ再生装置をAOPとして機能させることがある。ビジュアルメニューを用いた多様な操作性の提供が可能である反面、ユーザの操作が煩雑となりがちなVCAPとして機能させるよりも、AOPとして機能させた方が、よりシンプルな操作が可能となるからである。また、車載のオーディオ装置としてDVDオーディオ再生装置を適用する場合には、車両の走行中は、DVDオーディオ再生装置が表示装置を使用可能な状態であっても、運転者の気が散らないように、DVDオーディオ再生装置を強制的にAOPとして機能させるような場合もある。
【０００５】
しかし、このようにDVDオーディオ再生装置をAOPとして機能させた場合、ユーザはDVD-Audioディスクに含まれるVCAPにおいてのみ再生可能なATTを再生することができないのみならず、このATTの存在に気づかないまま、そのDVD-Audioディスクの利用を終わらせてしまうことがある。そして、この場合には、結果として、ユーザの、VCAPにおいてのみ再生可能なATTの視聴の機会が失われてしまうことになる。
【０００６】
そこで、本発明は、記録媒体に記録されたオーディオデータのみよりなるコンテンツを再生する第１の再生モードと、記録媒体に記録されたオーディオデータのみよりなるコンテンツもオーディオデータとビジュアルデータの双方よりなるコンテンツも再生する第２の再生モードとを備えたオーディオ再生装置において、ユーザの、第２の再生モードでのみ再生可能なコンテンツの利用の機会が失われることを抑制することを課題とする。
【課題を解決するための手段】
【０００７】
前記課題達成のために、本発明は、再生対象とされた記録媒体に記録されたオーディオデータのみよりなるコンテンツのみを再生する第１の再生モードと、再生対象とされた記録媒体に記録されたオーディオデータのみよりなるコンテンツもオーディオデータとビジュアルデータの双方よりなるコンテンツも再生する第２の再生モードとの二つの再生モードを備え、選択的に、当該二つの再生モードの一方の再生モードで動作するオーディオ再生装置に、前記第１の再生モードで再生できず、前記第２の再生モードでのみ再生可能なコンテンツが、前記記憶媒体に記憶されているかどうかを判定するコンテンツ判定手段と、前記第１の再生モードで動作しているときに、再生対象とされた記憶媒体について、前記コンテンツ判定手段が前記第２の再生モードでのみ再生可能なコンテンツが記録されていると判定した場合に、再生対象とされた記憶媒体に前記第２の再生モードでのみ再生可能なコンテンツが記録されている旨を通知するメッセージをユーザに対して出力するメッセージ出力手段とを備えたものである。
【０００８】
このようなオーディオ再生装置によれば、オーディオデータのみよりなるコンテンツのみを再生する第１の再生モードにあるときに、再生対象とされた記録媒体に、オーディオデータのみよりなるコンテンツもオーディオデータとビジュアルデータの双方よりなるコンテンツも再生する第２の再生モードでしか再生できないコンテンツが記録されている場合には、その旨をユーザに通知することにより、ユーザにそのようなコンテンツの存在と認知せしめると共に、ユーザの第２の再生モードにおける当該コンテンツの利用を促すことができる。
【０００９】
したがって、ユーザのそのようなコンテンツの利用の機会が失われることを抑制することができる。
ここで、より具体的には、このようなオーディオ装置の構成は、再生対象とされたDVD-Audioディスクに記録されたATT_GRを再生するVCAPモードと、再生対象とされたDVD-Audioディスクに記録されたAOTT_GRを再生するAOPモードとの二つの再生モードを備え、選択的に、当該二つの再生モードの一方の再生モードで動作するDVDオーディオ再生装置に適用することができる。この場合には、DVDオーディオ再生装置に、前記AOTT_GRを形成しないATTより形成されるATT_GRが、前記DVD-Audioディスクに記憶されているかどうかを判定するタイトルグループ判定手段と、前記AOPモードで動作しているときに、再生対象とされたDVD-Audioディスクについて、前記タイトルグループ判定手段がAOTT_GRを形成しないATTより形成されるATT_GRが記録されていると判定した場合に、再生対象とされたDVD-AudioディスクにVCAPモードでのみ再生できるATT_GRが記録されている旨を通知するメッセージをユーザに対して出力するメッセージ出力手段とを備えるようにすればよい。
【００１０】
また、前記課題達成のために、本発明は、再生対象とされた記録媒体に記録されたオーディオデータのみよりなるコンテンツのみを再生する第１の再生モードと、再生対象とされた記録媒体に記録されたオーディオデータのみよりなるコンテンツもオーディオデータとビジュアルデータの双方よりなるコンテンツも再生する第２の再生モードとの二つの再生モードを備え、選択的に、当該二つの再生モードの一方の再生モードで動作するオーディオ再生装置に、前記第１の再生モードで再生できず、前記第２の再生モードでのみ再生可能なコンテンツが、前記記憶媒体に記憶されているかどうかを判定するコンテンツ判定手段と、前記第２の再生モードで動作しているときに、再生対象とされた記憶媒体について、前記コンテンツ判定手段が前記第２の再生モードでのみ再生可能なコンテンツが記録されていると判定した場合に、再生対象とされた記憶媒体に記録されている前記第２の再生モードでのみ再生可能なコンテンツの識別を通知するメッセージをユーザに対して出力するメッセージ出力手段とを備えたものである。
【００１１】
このようなオーディオ再生装置によれば、オーディオデータのみよりなるコンテンツもオーディオデータとビジュアルデータの双方よりなるコンテンツも再生する第２の再生モードにあるときに、再生対象とされた記録媒体に、当該第２の再生モードでしか再生できないコンテンツが記録されている場合には、そのコンテンツの識別をユーザに通知して、ユーザにそのようなコンテンツの利用を促すので、オーディオデータのみよりなるコンテンツのみを再生する第１の再生モードでオーディオ再生装置を利用することが多いユーザについて、ユーザのそのようなコンテンツの利用の機会が失われることを抑制することができる。
【００１２】
ここで、より具体的には、このようなオーディオ装置の構成は、再生対象とされたDVD-Audioディスクに記録されたATT_GRを再生するVCAPモードと、再生対象とされたDVD-Audioディスクに記録されたAOTT_GRを再生するAOPモードとの二つの再生モードを備え、選択的に、当該二つの再生モードの一方の再生モードで動作するDVDオーディオ再生装置に適用することができる。この場合には、DVDオーディオ再生装置に、前記AOTT_GRを形成しないATTより形成されるATT_GRが、前記DVD-Audioディスクに記憶されているかどうかを判定するタイトルグループ判定手段と、前記VCAPモードで動作しているときに、再生対象とされたDVD-Audioディスクについて、前記タイトルグループ判定手段がAOTT_GRを形成しないATTより形成されるATT_GRが記録されていると判定した場合に、再生対象とされたDVD-Audioディスクに記録されているAOTT_GRを形成しないATTより形成されるATT_GRのATT_GRNを通知するメッセージをユーザに対して出力するメッセージ出力手段とを備えるようにすればよい。
【００１３】
また、前記課題達成のために、本発明は、再生対象とされた記録媒体に記録されたオーディオデータのみよりなるコンテンツのみを再生する第１の再生モードと、再生対象とされた記録媒体に記録されたオーディオデータのみよりなるコンテンツもオーディオデータとビジュアルデータの双方よりなるコンテンツも再生する第２の再生モードとの二つの再生モードを備え、選択的に、当該二つの再生モードの一方の再生モードで動作するオーディオ再生装置に、前記第１の再生モードで再生できず、前記第２の再生モードでのみ再生可能なコンテンツが、前記記憶媒体に記憶されているかどうかを判定するコンテンツ判定手段と、前記第２の再生モードで動作しているときに、再生対象とされた記憶媒体について、前記コンテンツ判定手段が前記第２の再生モードでのみ再生可能なコンテンツが記録されていると判定した場合に、再生対象とされた記憶媒体に記録されている前記第２の再生モードでのみ再生可能なコンテンツが、他のコンテンツよりも優先的に再生されるように、当該オーディオ再生装置の再生動作を制御する優先再生制御手段とを備えたものである。
【００１４】
このようなオーディオ再生装置によれば、オーディオデータのみよりなるコンテンツもオーディオデータとビジュアルデータの双方よりなるコンテンツも再生する第２の再生モードにあるときに、再生対象とされた記録媒体に、当該第２の再生モードでしか再生できないコンテンツが記録されている場合には、そのコンテンツが優先的に再生されるように制御する。したがって、ユーザのそのようなコンテンツの利用の機会が増大する。
【００１５】
ここで、より具体的には、このようなオーディオ装置の構成は、再生対象とされたDVD-Audioディスクに記録されたATT_GRを再生するVCAPモードと、再生対象とされたDVD-Audioディスクに記録されたAOTT_GRを再生するAOPモードとの二つの再生モードを備え、選択的に、当該二つの再生モードの一方の再生モードで動作するDVDオーディオ再生装置に適用することができる。この場合には、DVDオーディオ再生装置に、前記AOTT_GRを形成しないATTより形成されるATT_GRが、前記DVD-Audioディスクに記憶されているかどうかを判定するタイトルグループ判定手段と、前記VCAPモードで動作しているときに、再生対象とされたDVD-Audioディスクについて、前記タイトルグループ判定手段がAOTT_GRを形成しないATTより形成されるATT_GRが記録されていると判定した場合に、再生対象とされたDVD-Audioディスクに記録されているAOTT_GRを形成しないATTより形成されるATT_GRが、他のATT_GRよりも優先的に再生されるように、当該DVDオーディオ再生装置の再生動作を制御する優先再生制御手段とを備えるようにすればよい。
【００１６】
また、この場合には、DVDオーディオ再生装置を、前記優先再生制御手段において、再生対象とされたDVD-Audioディスクに記録されているAOTT_GRを形成しないATTより形成されるATT_GRのうち、当該DVDオーディオ再生装置において、過去に再生したことがないATT_GRについてのみ、他のATT_GRよりも優先的に再生されるように、当該DVDオーディオ再生装置の再生動作を制御するようにすることも好ましい。
【００１７】
なお、以上の各オーディオ再生装置の構成は適宜組み合わせて適用するようにしてもよい。また、同様に、以上の各DVDオーディオ再生装置の構成は適宜組み合わせて適用するようにしてよい。
【発明の効果】
【００１８】
以上のように、本発明によれば、記録媒体に記録されたオーディオデータのみよりなるコンテンツを再生する第１の再生モードと、記録媒体に記録されたオーディオデータのみよりなるコンテンツもオーディオデータとビジュアルデータの双方よりなるコンテンツも再生する第２の再生モードとを備えたオーディオ再生装置において、ユーザの、第２の再生モードでのみ再生可能なコンテンツの利用の機会が失われることを抑制することができる。
【発明を実施するための最良の形態】
【００１９】
以下、本発明の実施形態を、DVDオーディオ再生装置への適用を例にとり説明する。
図１に、本実施形態に係るDVDオーディオ再生装置の構成を示す。
図示するように、DVDオーディオ再生装置は、DVD-Audioディスク１にリードアクセスするDVDドライバ１０、DVD-Audioディスク１の再生出力動作を制御するナビゲーションマネージャ１１、プレゼンテーションエンジン１２、ユーザの操作を受け付ける入力装置１３、表示制御部１４、表示装置１５、音声を出力するスピーカ等の音声出力装置１６とを備えている。
【００２０】
ここで、DVD-Audioディスク１には、DVD-Audioディスク１の再生制御情報であるナビゲーションデータと、DVD-Audioディスク１が提供するオーディオコンテンツやビジュアルコンテンツなどのプレゼンテーションの内容を表すプレゼンテーションデータが記憶されている。そして、プレゼンテーションエンジン１２は、ナビゲーションマネージャ１１の制御下でDVDドライバ１０が読み出したプレゼンテーションデータの再生出力を行い、ナビゲーションマネージャ１１は、ナビゲーションデータと入力装置１３から入力されるユーザ操作に応じて、プレゼンテーションエンジン１２のプレゼンテーションデータの再生出力動作を制御する。ただし、ナビゲーションマネージャ１１は、プレイヤモードとしてVCAPモードとAOPモードとを有し、ユーザの選択などに応じてプレイヤモードを切り替える。そして、プレイヤモードとしてVCAPモードが設定されている場合には、DVDオーディオ再生装置がビデオケイバブルオーディオプレイヤ(VCAP）として機能するようプレゼンテーションデータの再生出力動作を制御し、プレイヤモードとしてAOPモードが設定されている場合には、DVDオーディオ再生装置がオーディオオンリプレイヤ(AOP）として機能するようプレゼンテーションデータの再生出力動作を制御する。
【００２１】
次に、プレゼンテーションエンジン１２は、ナビゲーションマネージャ１１の制御下でDVDドライバ１０が読み出したプレゼンテーションデータからオーディオデータとビジュアルデータに分離する分離部１２１、VCAPモードが設定されているときに、分離部１２１が分離したビジュアルデータを復号再生し、復号再生した画像を表すビデオ信号を表示制御部１４に出力するビジュアルデコーダ１２２、分離部１２１が分離したオーディオデータを復号再生し、復号再生した音声を表すオーディオ信号を音声出力装置１６に出力するオーディオデコーダ１２３とを備えている。なお、ここで言うビジュアルデータとしては、動画を表すビデオデータや、静止画を表すスチルピクチャデータや、ビジュアルメニューを表すデータなどがある。
【００２２】
そして、このような構成において、表示制御部１４は、プレゼンテーションエンジン１２のビジュアルデコーダ１２２が出力するビデオ信号が表す画像の表示装置１５への表示を制御する。また、表示制御部１４は、ナビゲーションマネージャ１１が、必要に応じてユーザへの情報の通知やユーザからの指示の受け付けのために生成し出力するユーザインタフェース用の画像を表示装置１５に表示する処理も行う。
【００２３】
なお、以上のDVDオーディオ再生装置は、DVDドライバ１０や表示装置１５や音声出力装置１６や入力装置１３を周辺装置として備えた汎用コンピュータであってもよい。そして、この場合、以上のナビゲーションマネージャ１１やプレゼンテーションエンジン１２、または、これらの一部は、コンピュータがプログラムを実行することによりコンピュータ上にプロセスとして実現されるものとして良い。
【００２４】
次に、図２にDVD-Audioディスク１に記録されるオーディオタイトル（ATT）の論理的な再生構造を示す。
図示するように、DVD-Audioディスク１には、１以上のトラックを含むATTを複数記録することができる。ここで、DVDオーディオ再生装置では、このトラックのグループを単位として、DVD-Audioディスク１の再生を行う。
また、DVD-Audioディスク１には、オーディオタイトルサーチポインタテーブルATT_SRPTと、オーディオオンリタイトルサーチポインタテーブルAOTT_SRPTが記録される。
ATT_SRPTは、VCAPとして機能するDVDオーディオ再生装置に対してトラックのグループや、各グループのトラックを格納しているATTを規定するものであり、各グループに属するATTを指し示すオーディオタイトルサーチポインタATT_SRPを有する。ここで、各ATTには、対応するATT_SRPがATT_SRPTに含まれる順序に従って、オーディオタイトルナンバ(ATTN）が与えられる。また、各ATT_SRPには、VCAPとして機能するDVDオーディオ再生装置が用いるトラックのグループであるオーディオタイトルグループATT_GRの番号であるオーディオタイトルグループナンバATT_GRNが記述されており、同じATT_GRNが記述されたATT_SRPが指し示すATTに含まれるトラックが同じATT_GRに属するトラックとなる。なお、各ATT_GRに対応するATT_SRPは、ATT_GRNの昇り順に従って、ATT_SRPTに登録されていなければならない。
【００２５】
また、AOTT_SRPTは、AOPとして機能するDVDオーディオ再生装置に対してトラックのグループや、各グループのトラックを格納しているATTを規定するものであり、ATT_SRPTに含まれるATT_SRPで指し示される各ATTに対応するオーディオオンリタイトルサーチポインタAOTT_SRPを、対応するATTを指し示すATT_SRPがATT_SRPTに含まれる順序と同じ順序で含んでいる。すなわち、AOTT_SRPTは、ATT_SRPTに含まれるATT_SRPで指し示される各ATTに対応するAOTT_SRPを、ATTNの順序に従って含んでいる。
【００２６】
また、AOTT_SRPには、AOPとして機能するDVDオーディオ再生装置が用いるトラックのグループであるオーディオオンリタイトルグループAOTT_GRの番号であるオーディオオンリタイトルグループナンバAOTT_GRNが記述されており、AOTT_GRNとして０が記述されている場合を除き、各AOTT_SRPは対応するATTをAOTT_SRP内のATSNとATS_TTNで指し示すものとなる。そして、AOTT_GRNとして０が記述されている場合を除き、同じAOTT_GRNが記述されたAOTT_SRPが指し示すATTに含まれるトラックが同じAOTT_GRに属するトラックとなる。なお、AOTT_GRNとして０が記述されているものを除き、各AOTT_GRに対応するAOTT_SRPは、AOTT_GRNの昇り順に従って、AOTT_SRPTに登録されていなければならない。
【００２７】
そして、AOTT_GRNとして０が記述されているAOTT_SRPに対応するATTが、VCAPとして機能するDVDオーディオ再生装置でのみ再生され、AOPとして機能するDVDオーディオ再生装置では再生されないATTとなる。
また、ATT_GRと、AOTT_GRは、以下の関係を満たさなければならない。すなわち、ある一つのATT_GRを形成するATTの集合より、ある一つのAOTT_GRが形成されなければならない。また、VCAPとして機能するDVDオーディオ再生装置でのみ再生され、AOPとして機能するDVDオーディオ再生装置では再生されないATTと、AOPとして機能するDVDオーディオ再生装置で再生されるATTは、同じATT_GRに含めてはならない。
【００２８】
さて、ATTは、VCAPとして機能するDVDオーディオ再生装置において再生するATTは、ビデオデータとオーディオデータを含むAVTTと、オーディオデータのみを含むAOTTに分類される。一方、AOPとして機能するDVDオーディオ再生装置において、再生するATTは全てAOTTとなる。但し、DVDオーディオ再生装置におけるAVTTは、AOPとして機能するDVDオーディオ再生装置において、AVTTに含まれるオーディオデータのみを再生するAOTTとなることができる。
【００２９】
さて、以上に説明したATT_SRPTとAOTT_SRPT関係より理解されるように、AOTT_GRNとして０が記述されたAOTT_SRPのAOTT_SRPT中の順番と同じ順番を、ATT_SRPT中で持つATT_SRPに記述されたATT_GRNは、VCAPとして機能するDVDオーディオ再生装置でのみ再生され、AOPとして機能するDVDオーディオ再生装置では再生されないATTによって形成されるATT_GRとなる。図２に示した例では、AOTT_SRPTの３番目と４番目のAOTT_SRPのAOTT_GRNが０であるので、ATT_SRPTの３番目と４番目のATT_SRP（ATTNが３のATTとATTNが４のATTに対応）に記述されているATT_GRNである２が、VCAPとして機能するDVDオーディオ再生装置でのみ再生され、AOPとして機能するDVDオーディオ再生装置では再生されないATTによって形成されるATT_GRのATT_GRNとなる。
【００３０】
なお、ATT_SRPのATT_GRNは１４バイトのATT_SRPの１バイト目の下位４ビットによって示され、AOTT_SRPのAOTT_GRNは、１４バイトのAOTT_SRPの１バイト目の下位４ビットによって示される。
ここで、以下では、説明の便宜上、VCAPとして機能するDVDオーディオ再生装置でのみ再生され、AOPとして機能するDVDオーディオ再生装置では再生されないATTによって形成されるATT_GRを「VCAPオンリATT_GR」と呼び、VCAPオンリATT_GRのATT_GRNを、「VCAPオンリATT_GRN」と呼ぶこととする。
【００３１】
さて、ナビゲーションマネージャ１１は、このようなVCAPオンリATT_GRNを管理するためのテーブルであるVCAPオンリATT_GR管理テーブルを保持する。
図３に、このVCAPオンリATT_GR管理テーブルの内容を示す。
図示するように、このVCAPオンリATT_GR管理テーブルは、DVDオーディオ再生装置で再生したことのある各DVD-Audioディスク毎のエントリを有し、各エントリには、DVD-Audioディスク１の識別子となるディスク識別子（たとえば、DVD-Audioディスク１のディスクネームやDVD-Audioディスク１の記録データの特徴値）と、そのDVD-Audioディスク１に記録されているVCAPオンリATT_GRのVCAPオンリATT_GRNのリストを登録することができる。また、登録した各VCAPオンリATT_GRNに対して、対応するVCAPオンリATT_GRの再生済みの有無を示す再生済みフラグが設けられている。
【００３２】
以下、このようなDVDオーディオ再生装置においてナビゲーションマネージャ１１が行う再生開始制御処理について説明する。
ここで、本再生開始制御処理に関して、予めユーザは、選択的に、VCAPオンリATT_GR優先再生モードをナビゲーションマネージャ１１に設定することができるようになっている。
さて、図４に示すように、この再生開始制御処理では、DVDドライブへのDVD-Audioディスク１の装着の発生（ステップ４０２）と、DVDドライブにDVD-Audioディスク１が装着された状態におけるDVDオーディオ再生装置のプレイヤモードの切り替えが発生（ステップ４２２）するのを監視する。
【００３３】
そして、いずれかが発生したならば、DVDドライブに装着されているDVD-Audioディスク１のディスク識別子を取得する（ステップ４０４）。ここで、前述したように、ディスク識別子としては、DVD-Audioディスク１のディスクネームやDVD-Audioディスク１の記録データの特徴値などを用いることができる。
【００３４】
次に、取得したディスク識別子が登録されたエントリが既にVCAPオンリATT_GR管理テーブルに存在するかどうかを調べ（ステップ４０６）、登録されていればステップ４１２に進む。
一方、存在しない場合には、装着されたDVD-Audioディスク１に記録されているVCAPオンリATT_GRのVCAPオンリATT_GRNを探索する（ステップ４０８）。このVCAPオンリATT_GRNは、前述したように、AOTT_GRNとして０が記述されたAOTT_SRPのAOTT_SRPT中の順番と同じ順番を、ATT_SRPT中で持つATT_SRPに記述されたATT_GRNとして求められる。そして、VCAPオンリATT_GR管理テーブルにステップ４０４で取得したディスク識別子のエントリを作成し、ステップ４０８で探索した各VCAPオンリATT_GRNのリストを、作成したエントリに登録する（ステップ４１０）。ここで、このとき、登録した各VCAPオンリATT_GRNの再生済フラグは、未再生を示す値に設定する。また、ステップ４０８で一つのVCAPオンリATT_GRNも探索されなかった場合には、作成したエントリにVCAPオンリATT_GRNのリストに代えて、VCAPオンリATT_GRN無しを登録する。そして、ステップ４１２に進む。
【００３５】
ステップ４１２では、現在設定されているプレイヤモードを調べ、プレイヤモードがAOPモードであれば、VCAPオンリATT_GR管理テーブルのステップ４０４で取得したディスク識別子が登録されたエントリに、VCAPオンリATT_GRNが登録されたリストが含まれているかどうかを調べ（ステップ４２４）、含まれていない場合、すなわち、当該エントリにVCAPオンリATT_GRN無しが登録されている場合には、AOPモードで装着されているDVD-Audioディスク１の再生処理を開始し（ステップ４２８）、ステップ４０２からの処理に戻る。
【００３６】
一方、当該エントリに、VCAPオンリATT_GRNが登録されたリストが含まれている場合には（ステップ４２４）、たとえば、図５ａに示すような、現在のプレイヤモードでは再生できないATT_GR（VCAPオンリATT_GR）が存在することを通知するメッセージを表示制御装置を介して表示装置１５に一定期間表示して、ユーザにそのようなATT_GRの存在と、VCAPモードにおける当該ATT_GRの利用を促した上で（ステップ４２６）、AOPモードで装着されているDVD-Audioディスク１の再生処理を開始し（ステップ４２８）、ステップ４０２からの処理に戻る。
【００３７】
なお、ステップ４２４は、VCAPオンリATT_GR管理テーブルのステップ４０４で取得したディスク識別子が登録されたエントリにVCAPオンリATT_GRNが登録されたリストが含まれており、かつ、当該リストに、未再生を示す値の再生済フラグが設定されたVCAPオンリATT_GRNが登録されている場合にステップ４２６に進み、他の場合には、ステップ４２８に進む処理としてもよい。
【００３８】
さて、ステップ４１２において、現在のプレイヤモードがVCAPモードであると判定された場合には、VCAPオンリATT_GR管理テーブルのステップ４０４で取得したディスク識別子が登録されたエントリに、VCAPオンリATT_GRNが登録されたリストが含まれており、かつ、当該リストに、未再生を示す値の再生済フラグが設定されたVCAPオンリATT_GRNが登録されているかどうかを調べ（ステップ４１４）、登録されていなければ、VCAPモードで装着されているDVD-Audioディスク１の再生処理を開始し（ステップ４２０）、ステップ４０２からの処理に戻る。
【００３９】
一方、登録されている場合には（ステップ４１４）、VCAPオンリATT_GR優先再生モードがナビゲーションマネージャ１１に対して予めユーザによって設定されているかどうかを調べ（ステップ４１６）、設定されていなければ、たとえば、図５ｂに示すように、ステップ４０４で取得したディスク識別子が登録されたエントリに含まれるリストに登録されている、未再生を示す値の再生済フラグが設定された各VCAPオンリATT_GRNのATT_GRが現在のプレイヤモード（VCAPモード）でのみ再生出来る旨を示すメッセージを表示制御装置を介して表示装置１５に一定期間表示することにより（ステップ４１８）、VCAPオンリATT_GRの再生をユーザに促した上で、VCAPモードで装着されているDVD-Audioディスク１の再生処理を開始し（ステップ４２０）、ステップ４０２からの処理に戻る。
【００４０】
一方、VCAPオンリATT_GR優先再生モードが設定されている場合には（ステップ４１６）、ステップ４０４で取得したディスク識別子が登録されたエントリに含まれるリストに登録されている、未再生を示す値の再生済フラグが設定された各VCAPオンリATT_GRNであるところのATT_GRNを優先再生対象ATT_GRNとして、VCAPモードで装着されているDVD-Audioディスク１の再生処理を開始し（ステップ４３０）、ステップ４０２からの処理に戻る。
【００４１】
ここで、以上のステップ４２０で、VCAPモードで装着されているDVD-Audioディスク１の再生処理を開始したナビゲーションマネージャ１１は、当該再生処理において、VCAPオンリATT_GR管理テーブルの、装着されているDVD-Audioディスク１のディスク識別子が登録されたエントリに含まれるリストに登録されている、未再生を示す値の再生済フラグが設定された各VCAPオンリATT_GRNが示すVCAPオンリATT_GRの再生を行う度に、当該エントリのリストに含まれる、再生したVCAPオンリATT_GRのVCAPオンリATT_GRNに対して設けられている再生済フラグを再生済みを示す値に変更する処理も行う。
【００４２】
また、ステップ４３０で、VCAPモードで装着されているDVD-Audioディスク１の再生処理を開始したナビゲーションマネージャ１１は、当該再生処理において、優先再生対象ATT_GRNとして設定されているATT_GRNのATT_GRの再生を開始する。また、優先再生対象ATT_GRNとして複数のATT_GRNが設定されている場合には、各ATT_GRNのATT_GRを順次再生するようにする。ただし、ユーザの再生対象のATT_GR選択の操作があった場合には、当該操作に従ったATT_GRの再生を行う。また、ナビゲーションマネージャ１１は、VCAPオンリATT_GR管理テーブルの、装着されているDVD-Audioディスク１のディスク識別子が登録されたエントリに含まれるリストに登録されている、未再生を示す値の再生済フラグが設定された各VCAPオンリATT_GRNが示すVCAPオンリATT_GRの再生を行う度に、当該エントリのリストに含まれる、再生したVCAPオンリATT_GRのVCAPオンリATT_GRNに対して設けられている再生済フラグを再生済みを示す値に変更する処理も行う。
【００４３】
以上、ナビゲーションマネージャ１１が行う再生開始制御処理について説明した。
なお、以上のDVDオーディオ再生装置には、VCAPオンリATT_GR管理テーブルを設けないようにしてもよい。この場合には、再生開始制御処理のステップ４０６、４１０を省いて、ステップ４０４からそのままステップ４０８に進み、ステップ４０８からそのままステップ４１２に進むようにする。また、ステップ４２４を、ステップ４０８でVCAPオンリATT_GRNが探索されている場合にステップ４２６に進み、探索されていない場合にステップ４２８に進む処理とする。また、ステップ４１４を、ステップ４０８でVCAPオンリATT_GRNが探索されている場合にステップ４１６に進み、探索されていない場合にステップ４２０に進む処理とすると共に、ステップ４１８を、ステップ４０８で探索されたVCAPオンリATT_GRNを提示するメッセージを表示する処理とし、ステップ４３０をステップ４０８で探索されたVCAPオンリATT_GRNを、優先再生対象ATT_GRNとして、VCAPモードで装着されているDVD-Audioディスク１の再生処理を開始する処理とする。
【００４４】
また、以上のDVDオーディオ再生装置において、VCAPオンリATT_GR優先再生モードは、これを用いないようにしてもよい。この場合には、再生開始制御処理の、ステップ４１６を廃し、ステップ４１４からステップ４１６に進む代わりに、そのままステップ４１８または４３０のいずれか一方に進むようにする。
【００４５】
以上、本発明の実施形態について説明した。
以上のように、本実施形態によれば、AOPモードのときに再生対象となったDVD-Audioディスク１にVCAPモードでのみ再生できるATT_GRが含まれているときには、そのようなATT_GRの存在をユーザに通知する。したがって、ユーザが、このようなATT_GRの存在に気が付かないまま、その利用を逸してしまうことを抑止することができる。また、VCAPモードのときに再生対象となったDVD-Audioディスク１にVCAPモードでのみ再生できるATT_GRが含まれているときには、そのようなATT_GRのATT_GRNをユーザに通知したり、そのようなATT_GRを優先的に再生する処理を行う。したがって、ユーザの、このようなATT_GRの利用の機会をより確実に確保することができる。
【図面の簡単な説明】
【００４６】
【図１】本発明の実施形態に係るDVDオーディオ再生装置の構成を示すブロック図である。
【図２】オーディオタイトル（ATT）の論理的な再生構造を示す図である。
【図３】本発明の実施形態に係るDVDオーディオ再生装置が備えるVCAPオンリATT_GR管理テーブルを示す図である。
【図４】本発明の実施形態に係るDVDオーディオ再生装置が行う再生開始制御処理を示すフローチャートである。
【図５】本発明の実施形態に係るDVDオーディオ再生装置が表示する表示画面例を示す図である。
【符号の説明】
【００４７】
１…DVD-Audioディスク、１０…DVDドライバ、１１…ナビゲーションマネージャ、１２…プレゼンテーションエンジン、１３…入力装置、１４…表示制御部、１５…表示装置、１６…音声出力装置、１２１…分離部、１２２…ビジュアルデコーダ、１２３…オーディオデコーダ。
【図１】
2006331479.tif 000003
【図２】
2006331479.tif 000004
【図３】
2006331479.tif 000005
【図４】
2006331479.tif 000006
【図５】
2006331479.tif 000007